(57)【特許請求の範囲】
【請求項１】
複写機能を有する第一の画像形成装置と、前記第一の画像形成装置から投入された印刷ジョブに基づいて印刷処理を行う第二の画像形成装置とを有する画像形成システムのジョブ処理方法において、
前記第一の画像形成装置から前記第二の画像形成装置へ所定数の印刷ジョブが投入されているか否かを判別する判別ステップと、
前記第一の画像形成装置から前記第二の画像形成装置へ所定数の印刷ジョブが投入されているときは、前記第一の画像形成装置から前記第二の画像形成装置への更なる印刷ジョブの投入を禁止する禁止ステップと、
前記第一の画像形成装置から前記第二の画像形成装置へ所定数の印刷ジョブが投入されていないときは、前記第一の画像形成装置から前記第二の画像形成装置への印刷ジョブの投入を許可する許可ステップと
を有することを特徴とするジョブ処理方法。
【請求項２】
前記第一の画像形成装置から投入される印刷ジョブは、前記第一の画像形成装置が有する画像読取装置において読み取られた画像データから成ることを特徴とする請求項１に記載のジョブ処理方法。
【請求項３】
前記画像形成システムは前記第一の画像形成装置及び前記第二の画像形成装置以外の他の画像形成装置を含み、前記第一の画像形成装置における印刷ジョブの投入先として前記第二の画像形成装置及び前記他の画像形成装置の何れかをユーザが選択可能であることを特徴とする請求項１又は２に記載のジョブ処理方法。
【請求項４】
前記所定数を任意に設定可能であることを特徴とする請求項１乃至３の何れか１項に記載のジョブ処理方法。
【請求項５】
前記所定数が１であることを特徴とする請求項１乃至３の何れか１項に記載のジョブ処理方法。
【請求項６】
複写機能を有する第一の画像形成装置と、前記第一の画像形成装置から投入された印刷ジョブに基づいて印刷処理を行う第二の画像形成装置とを有する画像形成システムのジョブ処理方法であって、
前記第一の画像形成装置から前記第二の画像形成装置へ投入されている印刷ジョブの数が所定数より少ないか否かを判別する判別ステップと、
前記第一の画像形成装置から前記第二の画像形成装置へ投入されている印刷ジョブの数が所定数より少ないときは、前記第一の画像形成装置から前記第二の画像形成装置への印刷ジョブの投入を許可する許可ステップと、
前記第一の画像形成装置から前記第二の画像形成装置へ投入されている印刷ジョブの数が所定数より少なくないときは、前記第一の画像形成装置から前記第二の画像形成装置への印刷ジョブの投入を禁止する禁止ステップと
を有することを特徴とするジョブ処理方法。
【請求項７】
複写機能を有する第一の画像形成装置と、前記第一の画像形成装置から投入された印刷ジョブに基づいて印刷処理を行う第二の画像形成装置とを有する画像形成システムであって、
前記第一の画像形成装置から前記第二の画像形成装置へ所定数の印刷ジョブが投入されているか否かを判別する判別手段と、
前記第一の画像形成装置から前記第二の画像形成装置へ所定数の印刷ジョブが投入されているときは、前記第一の画像形成装置から前記第二の画像形成装置への更なる印刷ジョブの投入を禁止する禁止手段と、
前記第一の画像形成装置から前記第二の画像形成装置へ所定数の印刷ジョブが投入されていないときは、前記第一の画像形成装置から前記第二の画像形成装置への印刷ジョブの投入を許可する許可手段と
を有することを特徴とする画像形成システム。
【請求項８】
前記第一の画像形成装置から投入される印刷ジョブは、前記第一の画像形成装置が有する画像読取装置において読み取られた画像データから成ることを特徴とする請求項７に記載の画像形成システム。
【請求項９】
前記画像形成システムは前記第一の画像形成装置及び前記第二の画像形成装置以外の他の画像形成装置を含み、前記第一の画像形成装置における印刷ジョブの投入先として前記第二の画像形成装置及び前記他の画像形成装置の何れかをユーザが選択可能であることを特徴とする請求項７又は８に記載の画像形成システム。
【請求項１０】
前記所定数を任意に設定可能であることを特徴とする請求項７乃至９の何れか１項に記載の画像形成システム。
【請求項１１】
前記所定数が１であることを特徴とする請求項７乃至９の何れか１項に記載の画像形成システム。
【請求項１２】
複写機能を有する第一の画像形成装置と、前記第一の画像形成装置から投入された印刷ジョブに基づいて印刷処理を行う第二の画像形成装置とを有する画像形成システムであって、
前記第一の画像形成装置から前記第二の画像形成装置へ投入されている印刷ジョブの数が所定数より少ないか否かを判別する判別手段と、
前記第一の画像形成装置から前記第二の画像形成装置へ投入されている印刷ジョブの数が所定数より少ないときは、前記第一の画像形成装置から前記第二の画像形成装置への印刷ジョブの投入を許可する許可手段と、
前記第一の画像形成装置から前記第二の画像形成装置へ投入されている印刷ジョブの数が所定数より少なくないときは、前記第一の画像形成装置から前記第二の画像形成装置への印刷ジョブの投入を禁止する禁止手段と
を有することを特徴とする画像形成システム。
【請求項１３】
印刷ジョブに基づいて印刷処理を行う他の画像形成装置と接続され、前記他の画像形成装置に前記印刷ジョブを投入し、複写機能を有する画像形成装置であって、
前記他の画像形成装置へ所定数の印刷ジョブが投入されているか否かを判別する判別手段と、
前記他の画像形成装置へ所定数の印刷ジョブが投入されているときは、前記他の画像形成装置への更なる印刷ジョブの投入を禁止する禁止手段と
前記他の画像形成装置へ所定数の印刷ジョブが投入されていないときは、前記他の画像形成装置への印刷ジョブの投入を許可する許可手段と
を有することを特徴とする画像形成装置。
【請求項１４】
前記画像形成装置から投入される印刷ジョブは、前記画像形成装置が有する画像読取装置において読み取られた画像データから成ることを特徴とする請求項１３に記載の画像形成装置。
【請求項１５】
前記画像形成装置における印刷ジョブの投入先となる前記他の画像形成装置をユーザが選択可能であることを特徴とする請求項１３又は１４に記載の画像形成装置の画像形成装置。
【請求項１６】
前記所定数を任意に設定可能であることを特徴とする請求項１３乃至１５の何れか１項に記載の画像形成装置。
【請求項１７】
前記所定数が１であることを特徴とする請求項１３乃至１５の何れか１項に記載の画像形成装置。
【請求項１８】
印刷ジョブに基づいて印刷処理を行う他の画像形成装置と接続され、前記他の画像形成装置に前記印刷ジョブを投入し、複写機能を有する画像形成装置であって、
前記他の画像形成装置へ投入されている印刷ジョブの数が所定数より少ないか否かを判別する判別手段と、
前記他の画像形成装置へ投入されている印刷ジョブの数が所定数より少ないときは、前記他の画像形成装置への印刷ジョブの投入を許可する許可手段と、
前記他の画像形成装置へ投入されている印刷ジョブの数が所定数より少なくないときは、前記他の画像形成装置への印刷ジョブの投入を禁止する禁止手段と
を有することを特徴とする画像形成装置。
【請求項１９】
複写機能を有する第一の画像形成装置と、前記第一の画像形成装置から投入された印刷ジョブに基づいて印刷処理を行う第二の画像形成装置とを有する画像形成システムのジョブ処理方法を実現するためのコンピュータが実行可能なプログラムにおいて、
前記第一の画像形成装置から前記第二の画像形成装置へ所定数の印刷ジョブが投入されているか否かを判別する判別モジュールと、
前記第一の画像形成装置から前記第二の画像形成装置へ所定数の印刷ジョブが投入されているときは、前記第一の画像形成装置から前記第二の画像形成装置への更なる印刷ジョブの投入を禁止する禁止モジュールと、
前記第一の画像形成装置から前記第二の画像形成装置へ所定数の印刷ジョブが投入されていないときは、前記第一の画像形成装置から前記第二の画像形成装置への印刷ジョブの投入を許可する許可モジュールと
を有することを特徴とするプログラム。
【請求項２０】
複写機能を有する第一の画像形成装置と、前記第一の画像形成装置から投入された印刷ジョブに基づいて印刷処理を行う第二の画像形成装置とを有する画像形成システムのジョブ処理方法を実現するためのコンピュータ実行可能なプログラムであって、
前記第一の画像形成装置から前記第二の画像形成装置へ投入されている印刷ジョブの数が所定数より少ないか否かを判別する判別モジュールと、
前記第一の画像形成装置から前記第二の画像形成装置へ投入されている印刷ジョブの数が所定数より少ないときは、前記第一の画像形成装置から前記第二の画像形成装置への印刷ジョブの投入を許可する許可モジュールと、
前記第一の画像形成装置から前記第二の画像形成装置へ投入されている印刷ジョブの数が所定数より少なくないときは、前記第一の画像形成装置から前記第二の画像形成装置への印刷ジョブの投入を禁止する禁止モジュールと
を有することを特徴とするプログラム。
【発明の詳細な説明】
【０００１】
【発明の属する技術分野】
本発明は、ジョブ処理方法、画像形成システム、画像形成装置、及びプログラムに関し、特に、重連・リモートコピー等のようにネットワークを介して印刷を行うジョブ処理方法、画像形成システム、画像形成装置、及びプログラムに関する。
【０００２】
【従来の技術】
近年、複写機能、プリント機能、イメージスキャン機能、ＦＡＸ機能等の複数の機能を有するデジタル複写機が広く利用されてきている。また、複数台のデジタル複写機をコンピュータネットワークに接続し、原稿を読取るデジタル複写機（以後ローカル複写機器）から、ローカル複写機器自身のプリンタおよびコンピュータネットワークを介したローカル複写機器以外のデジタル複写機（以後リモート複写機器）のプリンタ両方に対する印刷動作を実現した複写装置システムが提案されている。この複写装置システムを用いることにより、単独の複写装置を用いるよりも印刷の生産性を高めることができる。
【０００３】
この複写装置システムにおいて、コンピュータネットワークを介して接続されたローカル複写機器及び複数のリモート複写機器に投入される印刷ジョブとして、ローカル複写機器と複数のリモート複写機器の双方に対して印刷ジョブを投入する重連コピーと、ローカル機器で読取った画像データを複数のリモート複写機器にのみに印刷ジョブを投入するリモートコピーとがある。
【０００４】
従来、重連・リモートコピー等のようにネットワークを介して印刷を行う際においては、出力することのできるリモート複写機器に投入可能な印刷ジョブ数に対して制限を加えることなく印刷ジョブをリモート複写機器側に投入していた。
【０００５】
【発明が解決しようとする課題】
しかしながら、重連・リモート印刷等のようにネットワークを介して印刷を行う場合においては、従来の技術ではリモート複写機器に投入可能な印刷ジョブ数に対して制限を加えていなかったため、一度に多数の印刷ジョブを投入してしまった場合等で、ネットワークに対する負荷が高くなってしまうことがある。また、重連・リモート印刷中にリモート複写機器側で同時に紙詰まり等の障害が発生した場合においてはローカル複写機器側の表示装置上には、発生した障害の数だけエラーが表示され、エラー表示が非常に煩雑なものになる。
【０００６】
本発明の目的は、ネットワークを介して互いに接続されたローカル複写機器及びリモート複写機器に重連・リモート印刷ジョブを投入する際にネットワークにかかる負荷を軽減することができるジョブ処理方法、画像形成システム、画像形成装置、及びプログラムを提供することにある。
【０００７】
【課題を解決するための手段】
上記目的を達成するために、請求項１記載のジョブ処理方法は、複写機能を有する第一の画像形成装置と、前記第一の画像形成装置から投入された印刷ジョブに基づいて印刷処理を行う第二の画像形成装置とを有する画像形成システムのジョブ処理方法において、前記第一の画像形成装置から前記第二の画像形成装置へ所定数の印刷ジョブが投入されているか否かを判別する判別ステップと、前記第一の画像形成装置から前記第二の画像形成装置へ所定数の印刷ジョブが投入されているときは、前記第一の画像形成装置から前記第二の画像形成装置への更なる印刷ジョブの投入を禁止する禁止ステップと、前記第一の画像形成装置から前記第二の画像形成装置へ所定数の印刷ジョブが投入されていないときは、前記第一の画像形成装置から前記第二の画像形成装置への印刷ジョブの投入を許可する許可ステップとを有することを特徴とする。
請求項６記載のジョブ処理方法は、複写機能を有する第一の画像形成装置と、前記第一の画像形成装置から投入された印刷ジョブに基づいて印刷処理を行う第二の画像形成装置とを有する画像形成システムのジョブ処理方法であって、前記第一の画像形成装置から前記第二の画像形成装置へ投入されている印刷ジョブの数が所定数より少ないか否かを判別する判別ステップと、前記第一の画像形成装置から前記第二の画像形成装置へ投入されている印刷ジョブの数が所定数より少ないときは、前記第一の画像形成装置から前記第二の画像形成装置への印刷ジョブの投入を許可する許可ステップと、前記第一の画像形成装置から前記第二の画像形成装置へ投入されている印刷ジョブの数が所定数より少なくないときは、前記第一の画像形成装置から前記第二の画像形成装置への印刷ジョブの投入を禁止する禁止ステップとを有することを特徴とする。
【００１３】
請求項７記載の画像形成システムは、複写機能を有する第一の画像形成装置と、前記第一の画像形成装置から投入された印刷ジョブに基づいて印刷処理を行う第二の画像形成装置とを有する画像形成システムであって、前記第一の画像形成装置から前記第二の画像形成装置へ所定数の印刷ジョブが投入されているか否かを判別する判別手段と、前記第一の画像形成装置から前記第二の画像形成装置へ所定数の印刷ジョブが投入されているときは、前記第一の画像形成装置から前記第二の画像形成装置への更なる印刷ジョブの投入を禁止する禁止手段と、前記第一の画像形成装置から前記第二の画像形成装置へ所定数の印刷ジョブが投入されていないときは、前記第一の画像形成装置から前記第二の画像形成装置への印刷ジョブの投入を許可する許可手段とを有することを特徴とする。
請求項１２記載の画像形成システムは、複写機能を有する第一の画像形成装置と、前記第一の画像形成装置から投入された印刷ジョブに基づいて印刷処理を行う第二の画像形成装置とを有する画像形成システムであって、前記第一の画像形成装置から前記第二の画像形成装置へ投入されている印刷ジョブの数が所定数より少ないか否かを判別する判別手段と、前記第一の画像形成装置から前記第二の画像形成装置へ投入されている印刷ジョブの数が所定数より少ないときは、前記第一の画像形成装置から前記第二の画像形成装置への印刷ジョブの投入を許可する許可手段と、前記第一の画像形成装置から前記第二の画像形成装置へ投入されている印刷ジョブの数が所定数より少なくないときは、前記第一の画像形成装置から前記第二の画像形成装置への印刷ジョブの投入を禁止する禁止手段とを有することを特徴とする。
請求項１３記載の画像形成装置は、印刷ジョブに基づいて印刷処理を行う他の画像形成装置と接続され、前記他の画像形成装置に前記印刷ジョブを投入し、複写機能を有する画像形成装置であって、前記他の画像形成装置へ所定数の印刷ジョブが投入されているか否かを判別する判別手段と、前記他の画像形成装置へ所定数の印刷ジョブが投入されているときは、前記他の画像形成装置への更なる印刷ジョブの投入を禁止する禁止手段と前記他の画像形成装置へ所定数の印刷ジョブが投入されていないときは、前記他の画像形成装置への印刷ジョブの投入を許可する許可手段とを有することを特徴とする。
請求項１８記載の画像形成装置は、印刷ジョブに基づいて印刷処理を行う他の画像形成装置と接続され、前記他の画像形成装置に前記印刷ジョブを投入し、複写機能を有する画像形成装置であって、前記他の画像形成装置へ投入されている印刷ジョブの数が所定数より少ないか否かを判別する判別手段と、前記他の画像形成装置へ投入されている印刷ジョブの数が所定数より少ないときは、前記他の画像形成装置への印刷ジョブの投入を許可する許可手段と、前記他の画像形成装置へ投入されている印刷ジョブの数が所定数より少なくないときは、前記他の画像形成装置への印刷ジョブの投入を禁止する禁止手段とを有することを特徴とする。
請求項１９記載のプログラムは、複写機能を有する第一の画像形成装置と、前記第一の画像形成装置から投入された印刷ジョブに基づいて印刷処理を行う第二の画像形成装置とを有する画像形成システムのジョブ処理方法を実現するためのコンピュータが実行可能なプログラムにおいて、前記第一の画像形成装置から前記第二の画像形成装置へ所定数の印刷ジョブが投入されているか否かを判別する判別モジュールと、前記第一の画像形成装置から前記第二の画像形成装置へ所定数の印刷ジョブが投入されているときは、前記第一の画像形成装置から前記第二の画像形成装置への更なる印刷ジョブの投入を禁止する禁止モジュールと、前記第一の画像形成装置から前記第二の画像形成装置へ所定数の印刷ジョブが投入されていないときは、前記第一の画像形成装置から前記第二の画像形成装置への印刷ジョブの投入を許可する許可モジュールとを有することを特徴とする。
請求項２０記載のプログラムは、複写機能を有する第一の画像形成装置と、前記第一の画像形成装置から投入された印刷ジョブに基づいて印刷処理を行う第二の画像形成装置とを有する画像形成システムのジョブ処理方法を実現するためのコンピュータ実行可能なプログラムであって、前記第一の画像形成装置から前記第二の画像形成装置へ投入されている印刷ジョブの数が所定数より少ないか否かを判別する判別モジュールと、前記第一の画像形成装置から前記第二の画像形成装置へ投入されている印刷ジョブの数が所定数より少ないときは、前記第一の画像形成装置から前記第二の画像形成装置への印刷ジョブの投入を許可する許可モジュールと、前記第一の画像形成装置から前記第二の画像形成装置へ投入されている印刷ジョブの数が所定数より少なくないときは、前記第一の画像形成装置から前記第二の画像形成装置への印刷ジョブの投入を禁止する禁止モジュールとを有することを特徴とする。
【００１７】
請求項１１記載の記憶媒体は、ネットワークを介してリモート複写機器に接続されたローカル複写機器の印刷ジョブ投入方法を実行するプログラムを記憶した読み出し可能な記憶媒体であって、前記印刷ジョブ投入方法は、前記リモート複写機器に投入済みの印刷ジョブの総数が所定数Ｎより少ないか否かを判別する判別ステップと、前記印刷ジョブの総数が前記所定数Ｎ以上のときは、前記リモート複写機器に印刷ジョブを投入するのを禁止する禁止ステップとを有することを特徴とする。
【００１８】
【発明の実施の形態】
以下、本発明の実施の形態に係る印刷ジョブ投入方法を図面を参照しながら詳細に説明する。
【００１９】
図１は、本発明の実施の形態に係る印刷ジョブ投入方法を実行する複写装置システムのブロック図である。
【００２０】
本実施の形態の複写装置システムは、複数台のデジタル複写機をコンピュータネットワークに接続し、原稿を読取るデジタル複写機（以後ローカル複写機器）から、ローカル複写機器自身のプリンタおよびコンピュータネットワークを介したローカル複写機器以外のデジタル複写機（以後リモート複写機器）のプリンタ両方に対する印刷動作を実現した複写装置システムである。
【００２１】
図１において、ローカル複写機器１０１及び複数のリモート複写機器１０２（図１では１台のみを示す。）がコンピュータネットワークを介して互いに接続されている。ローカル複写機器１０１及びリモート複写機器１０２の各々は、デジタル複写機から成る。このデジタル複写機は、画像読取り機能、印刷機能、送受信機能等の複数の機能を有する。
【００２２】
図２は、リモート複写機器１０２へ重連・リモート印刷を行うローカル複写機器１０１の主要部の構成を示すブロック図である。
【００２３】
図２において、ローカル複写機器１０１は、その主要部が、中央処理装置２０１、主記憶装置２０２、表示装置２０３、入力装置２０４、外部記憶装置２０５、印刷装置２０６、画像読み取り装置２０７、ネットワーク装置２０８、電子メール装置２０９、及びファクス装置とから構成されている。中央処理装置２０１は、主記憶装置２０２、表示装置２０３、入力装置２０４、外部記憶装置２０５、印刷装置２０６、画像読み取り装置２０７、ネットワーク装置２０８、電子メール装置２０９、及びファクス装置２１０を制御し、また四則演算、論理演算を受け持っている。
【００２４】
主記憶装置２０２は、この情報処理システムが情報処理を行う上で必要な情報を記憶し、必要に応じて取り出すことができる。表示装置２０３は、図形や文字等の処理した結果を表示するものでＣＲＴや液晶、タッチパネル等があり、入力装置は中央処理装置への種々の入力を行うもので、キーボードやマウス、カードリーダ、タッチパネル等がある。外部記憶装置２０５は、各種情報を記憶するもので磁気記憶装置や光磁気記憶装置等がある。
【００２５】
外部記憶装置２０５は、障害及び障害の発生頻度毎の通知先情報を保持するデータベース等を有している。印刷装置２０６は、図形や文字等の処理した結果を印刷するものである。画像読取り装置２０７は、紙の原稿を電子情報に変換するものである。本実施の形態では複数枚の原稿を自動的に読み込むためのオートフィーダが画像読取り装置２０７に付属している。ネットワーク装置２０８は、コンピュータネットワークと本ハードウェアを接続する。電子メール装置２０９は、コンピュータネットワークを通じて外部とのメールを送受信し、ファックス装置は外部とのファックスを送受信する。
【００２６】
ローカル複写機器１０１の印刷装置２０６は、ローカル複写機器１０１の画像読取り装置２０７に直接接続されており、リモート複写機器１０２の印刷装置２０６は、コンピュータネットワークを介してローカル複写機器１０１の画像読取り装置２０７に接続されている。
【００２７】
コンピュータネットワークを介して接続されたローカル複写機器１０１及びリモート複写機器１０２に投入される印刷ジョブとして、ローカル複写機器１０１とリモート複写機器１０２の双方に対して印刷ジョブを投入する重連コピーと、ローカル複写機器１０１で読取った画像データをリモート複写機器１０２にのみに印刷ジョブを投入するリモートコピーとがある。本実施の形態では、この様な場合において、以下の処理手順に示すように、リモート複写機器１０２に投入可能な印刷ジョブ数に対して制限を加えることにする。
【００２８】
図３は、図１の複写装置システムにより実行される印刷ジョブ投入処理のフローチャートである。
【００２９】
本実施の形態では、ローカル複写機器１０１で原稿を複数枚又は複数ページ読取り、ローカル複写機１０１が、読取った画像データをリモート複写機器１０２に投入することによって重連・リモートコピーを行う。
【００３０】
まず、重連・リモートコピーを行うためにローカル複写機器１０１の表示装置２０３からコンピュータネットワーク上の複数のリモート複写機器から、印刷ジョブを投入すべきリモート複写機器１０２を選択する（ステップＳ１０１）。次に、リモート複写機器１０２に既に投入済みの印刷ジョブの総数が所定数Ｎ（本実施の形態では、Ｎ＝１とする。）より少ないか否かを判別する（ステップＳ１０２）（判別ステップ）。
【００３１】
ステップＳ１０２の判別の結果、リモート複写機器１０２に既に投入済みの印刷ジョブの総数が１以上のときは、ローカル複写機器１０１からリモート複写機器１０２に印刷ジョブを投入できないようにして（ステップＳ１０３）（禁止ステップ）、本処理を終了する一方、１より少ないとき、即ち、印刷ジョブが投入されていないときは、ローカル複写機器１０１により原稿を読取って画像データを取得し（ステップＳ１０４）、ローカル複写機器１０１側により読取った画像データをコンピュータネットワークを介してリモート複写機器１０２に送信して印刷ジョブを投入し（ステップＳ１０５）、ローカル複写機器１０１から投入された印刷ジョブをリモート複写機器１０２で実行することによって画像データの印刷を行い（ステップＳ１０６）、本処理を終了する。
【００３２】
上記図３の印刷ジョブ投入処理を、ローカル複写機器１０１と、選択されたリモート複写機器１０２とを用いて１枚又は複数枚の原稿Ａを７部重連コピー処理、具体的には、原稿Ａのコピーをローカル複写機器１０１に４部、リモート複写機器１０２に３部出力させるように出力部数を振り分けた場合を想定して説明する。この場合、印刷ジョブは、「ローカル複写機器１０１に原稿Ａのコピーを４部」、「リモート複写機器１０２に原稿Ａのコピーを３部」である。
【００３３】
まず、ローカル複写機器１０１の表示装置２０３により印刷ジョブを投入するリモート複写機器１０２を選択する。このリモート複写機器１０２には、原稿Ａについての印刷ジョブ投入前に、例えばローカル複写機器１０１から原稿Ｂを５部コピーする印刷ジョブが投入されており、且つリモート複写機器１０２に対して投入できる最大印刷ジョブ数を１と制限してあるとすると、ローカル複写機器１０１で後に生成した「リモート複写機器１０２に原稿Ａのコピーを３部」という印刷ジョブはリモート複写機器１０２に投入できないようにするので、コンピュータネットワークにかかる負荷を軽減することができる。
【００３４】
リモート複写機器１０２に投入する印刷ジョブの総数に制限を設けない場合、例えば１０個の印刷ジョブをリモート複写機器１０２に投入すると、最大で１０個のエラー表示がローカル複写機器１０１の表示装置２０３上に現れることになるが、上記のように、リモート複写機器１０２に投入可能な印刷ジョブの総数を所定値Ｎに制限することにより、表示装置２０３上の最大のエラー表示数もＮ個に制限することができ、もって、表示装置２０３におけるエラー表示が煩雑になるのを防止して、ユーザの操作性を向上させることができる。このジョブ投入法は、本実施の形態のように選択されたリモート複写機器の数が１台の場合に限らず、特に複数のリモート複写機器で重連動作を行い、各機器で同時に複数の異なる障害が発生した場合等において有効であるといえる。
【００３５】
本実施の形態によれば、リモート複写機器１０２に既に投入済みの印刷ジョブの総数が、所定数Ｎ以上のときは、ローカル複写機器１０１からリモート複写機器１０２に印刷ジョブを投入できないようにする（ステップＳ１０３）ので、コンピュータネットワークにかかる負荷を軽減することができると共に、ローカル複写機器１０１の表示装置２０３上の最大のエラー表示数をＮ個に制限することができ、もって該表示装置におけるエラー表示が煩雑になるのを防止して、ユーザの操作性を向上させることができる。
【００３６】
上記実施の形態では、ネットワークを介してリモート複写機器に接続されたローカル複写機器の印刷ジョブ投入方法を説明したが、この処理をプログラムとして書き込み、公知の装置で該記憶媒体から上記プログラムを読み出して実行しても、上述した処理を実行することができる。また、記憶媒体は、フロッピーディスク、ハードディスク、ＣＤ−ＲＯＭ、ＭＯ等の様々なものが考えられるが、特定のものに限定する必要はなく、上記プログラムを記憶できるものであればよい。
【００３７】
【発明の効果】
以上詳細に説明したように、本発明によれば、第一の画像形成装置から第二の画像形成装置へ所定数の印刷ジョブが投入されているときは、第一の画像形成装置から第二の画像形成装置への更なる印刷ジョブの投入を禁止するので、コンピュータネットワークにかかる負荷を軽減することができると共に、ローカル複写機器の表示装置上の最大のエラー表示数をＮ個に制限することができ、もって該表示装置におけるエラー表示が煩雑になるのを防止して、ユーザの操作性を向上させることができる。また、所定数の印刷ジョブの投入を許可するので、ユーザの利便性を向上させることができる。
【００３８】
また、本発明によれば、第一の画像形成装置から第二の画像形成装置へ投入されている印刷ジョブの数が所定数より少ないときは、第一の画像形成装置から第二の画像形成装置への印刷ジョブの投入を許可するので、コンピュータネットワークにかかる負荷を軽減することができると共に、ローカル複写機器の表示装置上の最大のエラー表示数をＮ個に制限することができ、もって該表示装置におけるエラー表示が煩雑になるのを防止して、ユーザの操作性を向上させることができる。また、所定数の印刷ジョブの投入を許可するので、ユーザの利便性を向上させることができる。
【図面の簡単な説明】
【図１】本発明の実施の形態に係る印刷ジョブ投入方法を実行する複写装置システムのブロック図である。
【図２】リモート複写機器１０２へ重連・リモートコピーを行うローカル複写機器１０１の主要部の構成を示すブロック図である。
【図３】図１の複写装置システムにより実行される印刷ジョブ投入処理のフローチャートである。
【符号の説明】
１０１  ローカル複写機器
１０２  リモート複写機器
２０１  中央処理装置
２０２  主記憶装置
２０３  表示装置
２０４  入力装置
２０５  外部記憶装置
２０６  印刷装置
２０７  画像読み取り装置
２０８  ネットワーク装置
２０９  電子メール装置
２１０  ファクス装置
【図１】
0003684142.tif 000002
【図２】
0003684142.tif 000003
【図３】
0003684142.tif 000004